(57)【要約】【課題】本発明は、首掛けラベルを変形・破壊させにくく、瓶型容器の首部を把持しやすいため瓶型容器の商品の取り扱いが容易で、移動等の作業効率を低下させない首掛けラベルを提供する。また更に、情報表示機能の高い首掛けラベルを提供する。【解決手段】容器１の首部２に装着する筒状体を形成する側壁９と、該筒状体の下縁に延設されて首部２に係止される係止片７、８とを備えた首掛けラベル５Ａにおいて、側壁９の上縁部には、筒状体の内方へ指を挿通可能とする切欠部１４が形成されていることを特徴とする。【選択図】図１
2011020726.tif 000002
【特許請求の範囲】
【請求項１】
容器の首部に装着する筒状体を形成する側壁と、該筒状体の下縁に延設されて前記首部に係止される係止片とを備えた首掛けラベルにおいて、
前記側壁の上縁部には、前記筒状体の内方へ指を挿通可能とする切欠部が形成されていることを特徴とする首掛けラベル。
【請求項２】
請求項１に記載の首掛けラベルにおいて、
前記切欠部には、切込みが形成されていることを特徴とする首掛けラベル。
【請求項３】
請求項１又は２に記載の首掛けラベルにおいて、
前記筒状体は、断面多角形の角柱状に形成されており、
前記切欠部は前記角柱状の筒状体を形成する角部において形成されていることを特徴とする首掛けラベル。
【請求項４】
請求項１に記載の首掛けラベルにおいて、
前記切欠部は、前記側壁の上下方向に設けられた複数の隣り合う切込みの間の壁部を内方に折り曲げることにより形成されていることを特徴とする首掛けラベル。
【請求項５】
請求項１から４に記載の首掛けラベルが装着された容器。
【請求項６】
請求項１から４に記載の首掛けラベルが装着された容器が収容された梱包体。
【発明の詳細な説明】
【技術分野】
【０００１】
本発明は、各種瓶型容器に装着して諸情報を表示するための首掛けラベル、首掛けラベルが装着された容器及びこの容器が収容された梱包体に関する。
【背景技術】
【０００２】
一般に、ガラスやＰＥＴ等からなる瓶型容器に充填される清涼飲料や酒類、調味料等の商品について、宣伝広告等の情報提供を行ったり、販売促進のキャンペーンを行ったりする場合には、需要者の注意を喚起してその広告効果を高めるために、商品名、特徴、キャッチフレーズ、その他の情報を表示した首掛けラベルを瓶型容器等の首部に装着することが頻繁に行われている。
この種の首掛けラベルには、筒状に形成され瓶型容器の首部の周を巡るように被せて、需要者に広告内容を表示することができるようにしているものがあり、従来の首掛けラベルとしては、特許文献1に開示されたものが知られている。
特許文献１に開示された首掛けラベルは、図９、図１０に示すように、容器の首部（不図示）の周囲に被せられる筒状体１０１と、該筒状体１０１を構成するシート材１０２の下縁１０３から延設された係止片１０４、１０４により形成されている。
この首掛けラベル１００の筒状体１０１は、矩形のシート材１０２を上下方向の折曲線１０５、１０５で折り曲げて形成される筒状体１０１の壁面１０７、１０７の端部１０７ａと接着面１０６とを重ね合わせて接着して形成されている。更に係止片１０４、１０４は、筒状体１０１の下縁で内方に向かって折り曲げられている。この首掛けラベル１００は、壁面１０７、１０７が湾曲した平面視木の葉形状とされ、上下方向に開口するように構成されたものである。
【先行技術文献】
【特許文献】
【０００３】
【特許文献１】特開２００８−７６７１４号公報
【発明の概要】
【発明が解決しようとする課題】
【０００４】
ところで、瓶型容器は、中仕切りを有する段ボール等の運搬用ケースに梱包されて店頭まで輸送されることがあるが、上記のような従来の首掛けラベル１００によると、該首掛けラベル１００を装着した瓶型容器を運搬用ケースから出し入れする際に、首掛けラベル１００を折り曲げたり変形させてしまったりしないように首掛けラベル１００と容器の首部との隙間がある付近に指先を挿入して瓶型容器の首部を把持しなければならず、作業効率が著しく低下するという問題があった。
また、作業者が迅速に瓶型容器の商品を搬入搬出しようとするために、首掛けラベル１００に指先をぶつけて変形させてしまったり、首掛けラベル１００に指を入れる隙間が十分に確保されていないため破損したりしてしまうという問題があった。また、首掛けラベル１００が変形したり破損したりすることによって、広告としての役割を十分に果たしえなくなり、また更には、商品としても敬遠されてしまうという問題があった。
また、係止片１０４、１０４を瓶型容器のキャップと首部の段部に当接させて首掛けラベル１００が瓶型容器から離脱しないようにされているだけであるため、首掛けラベル１００が瓶型容器の首部において回転してしまい、広告内容表示面を正面にして保持しておくことが困難であるという問題があった。
また、首掛けラベル１００を装着した瓶型容器を店頭の陳列棚に陳列した際には、筒状体が２つの壁面によって構成されているため、広告スペースが狭くなるという問題があった。
またさらに、筒状体１０１が湾曲しているため、需要者が広告内容を読みにくいという問題があり、特に首掛けラベル１００が回転して楕円形の筒状体１０１の角部１０１ａ、１０１ｂが正面を向いてしまった場合には、情報内容をほとんど需要者に見せられなくなるという問題があった。
【０００５】
本発明は、瓶型容器の首部を把持しやすいため瓶型容器の商品の取り扱いが容易で、移動等の作業効率を低下させず、かつ、変形・損傷しにくい首掛けラベルを提供することを目的とする。また更に、情報表示機能の高い首掛けラベルを提供することを目的とする。
【課題を解決するための手段】
【０００６】
上記目的を達成するために、この発明は以下の手段を提供している。
請求項１の発明は、容器の首部に装着する筒状体を形成する側壁と、該筒状体の下縁に延設されて前記首部に係止される係止片とを備えた首掛けラベルにおいて、前記側壁の上縁部には、前記筒状体の内方へ指を挿通可能とする切欠部が形成されていることを特徴とする。
請求項２の発明は、前記切欠部には、切込みが形成されていることを特徴とする。
請求項３の発明は、前記筒状体は、断面多角形の角柱状に形成されており、前記切欠部は前記角柱状の筒状体を形成する角部において形成されていることを特徴とする。
請求項４の発明は、前記切欠部は、前記側壁の上下方向に設けられた複数の隣り合う切込みの間の壁部を内方に折り曲げることにより形成されていることを特徴とする。
請求項５の発明は、本発明による首掛けラベルが装着された容器であることを特徴とする。
請求項６の発明は、本発明による首掛けラベルが装着された容器が収容された梱包体であることを特徴とする。
【発明の効果】
【０００７】
請求項１の発明による首掛けラベルによれば、側壁の切欠部を指先が挿通可能となるため、容器に装着された際においても、該容器の首部を掴みやすくなり、首掛けラベルを装着した容器を梱包体から取り出したり店頭において陳列棚に陳列したりするにあたって、その作業効率を低下させない効果を奏する。
また、上方から首掛けラベルにおける指先の挿通位置が一見して分かりやすく、首掛けラベルの正面の向きが分かりやすくなるため、首掛けラベルが装着された容器を所望の方向に向けて店頭で陳列する作業が効率的に行えるという効果を奏する。
【０００８】
また、首掛けラベルの変形、損傷を極力回避することができるという効果を奏し、かつその結果、該首掛けラベルによって、確実に情報提供を行うことができるという効果を奏する。
【０００９】
請求項２の発明による首掛けラベルによれば、切欠部に切込みが形成されているため、切欠部の周辺の壁面に指先が当たっても該切込みが拡開して指先を通過させ、指先の通過後に弾性復帰して元の形状に戻るため、切欠部の周辺の壁面を変形、損傷させることを回避することができるという効果を奏する。
【００１０】
請求項３の発明による首掛けラベルによれば、切欠部を筒状体の角部に形成させることにより、広告表示のためのスペースを最大に確保することができるという効果を奏する。
【００１１】
請求項４の発明による首掛けラベルによれば、側壁に設けられた切り込みの間の壁部を内方に折り曲げて切欠部を形成するため、首掛けラベルの作成が容易となるという効果を奏する。また、折り曲げた壁部により、容器を運搬、陳列する作業者に指の挿通場所を示唆することができるという効果を奏する。
【００１２】
請求項５の発明による首掛けラベルが装着された容器によれば、首掛けラベルが装着された際に容器の首部を掴み易くなるという効果を奏する。
【００１３】
請求項６の発明による首掛けラベルが装着された容器が収容された梱包体によれば、首掛けラベルを装着した容器の首部を上方から掴み易くなるため、梱包体から該容器を出し入れしたり店頭において陳列棚に陳列したりする際の作業効率を向上することができるという効果を奏する。
【図面の簡単な説明】
【００１４】
【図１】は、本発明の第１実施形態として示した首掛けラベルを使用した状態を示す側面図である。
【図２】は、本発明の第１実施形態として示した首掛けラベルの斜視図である。
【図３】は、本発明の第１実施形態として示した首掛けラベルの展開図である。
【図４】は、本発明の第１実施形態として示した首掛けラベルの容器への係合状態を示す斜視図である。
【図５】は、本発明の第１実施形態として示した首掛けラベルを装着した容器を収納した梱包体を示す斜視図である。
【図６】は、本発明の第２実施形態として示した首掛けラベルの斜視図である。
【図７】は、本発明の第３実施形態として示した首掛けラベルの斜視図である。
【図８】は、本発明の第４実施形態として示した首掛けラベルの斜視図である。
【図９】は、従来の首掛けラベルとして示した斜視図である。
【図１０】は、図９の首掛けラベルの展開図である。
【発明を実施するための形態】
【００１５】
以下、図を参照しつつ本発明の第１実施形態の首掛けラベルについて説明する。
図１は首掛けラベルの使用状態を示す図であり、図２は本発明による首掛けラベルの斜視図である。
【００１６】
ここで説明する首掛けラベルは、図１に示すように、商品のＰＲ広告やキャンペーン等の各種情報を記載して、需要者の注意を喚起しつつ情報提供するためのものであり、清涼飲料や酒類、調味料等が充填された瓶型容器（容器）１の首部２に装着される。
【００１７】
瓶型容器１は、液体等を充填する容器本体３の上部にキャップ４を緊締してなるものである。この瓶型容器１の容器本体３の胴部３ａは、断面が略円形とされており、容器本体３の上部において、キャップ４に向かって断面の径寸法が漸次小となる首部２が形成されている。この首部２の上端部とキャップ４の下端部により段部１８が形成されている。
【００１８】
首掛けラベル５Ａは、図２に示すように、四角柱に形成された筒状体６と該筒状体６の下辺（下縁）ｗ、ｘから延設された係止片７、８とから形成されている。
【００１９】
筒状体６は、その外面に各種の情報が表示され得る矩形の側壁９、１０、１１、１２により囲まれて形成されており、上下方向に開口されている。上方の開口部１３を形成する該上縁の各辺１３ａ、１３ｂ、１３ｃ、１３ｄは、瓶型容器１の胴部３ａの断面の径寸法に収まる寸法とされ、全て略同一寸法に形成されている。
この筒状体６の互いに対向する１組の側壁９、１１の上縁中央部には、切欠部１４、１４が形成されている。
【００２０】
切欠部１４は、逆Ｕ字形状に沿って下方に凹んだ部分であり、人の指先が筒状体６を通過可能な幅寸法に形成されている。具体的には、この幅寸法は、概ね２０ｍｍから３０ｍｍとされている。また、切欠部１４の深さ寸法は、側壁９から１２の上下方向の高さ寸法の約２分の１程度、あるいは、キャップ４の下端が側方から見える程度の深さとされている。
また、切欠部１４の中央には、上下方向中間部に至る切込み１５が形成されている。
切欠部１４を有しない側壁１０、１２は、情報提供を主として行う主側壁とされている。
【００２１】
係止片７、８は、図２に示すように、切欠部１４、１４が形成された側壁９、１１の各下縁に連設されており、筒状体６の内方に向かって折り曲げられている。係止片７、８の両側辺７ａ、７ｂ、８ａ、８ｂは、主側壁１０、１２の下辺ｍ、ｎと接着されていないので、係止片７、８は、後述する折曲線ｗ、ｘを中心に折り曲げて筒状体６の内方又は外方に移動可能とされている。
【００２２】
係止片７、８は、側壁９から１２の幅寸法と同じ幅寸法を有する矩形形状とされている。また、係止片７、８の延伸長さである延伸寸法Ｌは、図２、図４に示すように、下辺ｍ又はｎの２分の１以下であって、首掛けラベル５Ａが瓶型容器１に装着された際に、下辺ｗ、ｘ、ｍ、ｎが首部２の外面と接する位置から首部上端に形成された段部１８までの距離Ｌ１よりも僅かに長くなるように形成されている。
【００２３】
このように、筒状体６の底面は、係止片７、８が折り曲げられても底面中央において矩形に開口しており、さらに、係止片７、８が内方に折り曲げられることによって、筒状体６の下方が更に大きく開口可能とされている。
【００２４】
この首掛けラベル５Ａに用いられるシート材の材質としては、紙、合成紙、ポリプロピレン、ポリエチレンなどのポリオレフィン系、ポリエチレンテフタレート等のポリエステル系、ポリスチレン系、ポリアミド系等の可撓性ある合成樹脂性シート等が好適に用いられる。
【００２５】
次に、首掛けラベル５Ａの作成方法について説明する。
図３は、首掛けラベル５Ａの展開図である。首掛けラベル５Ａは、上記に示した材料により形成されたシート材１６を折曲して作成される。すなわち、図３において、帯状に形成されたシート材１６には、それぞれ折曲線ｓ、ｔ、ｕ、ｖ、ｗ、ｘが形成されており、これらによって区画された側壁９、１０、１１、１２及び接着面１７と側壁９、１１の下縁に連設された係止片７、８がそれぞれ順に形成されている。この場合、主側壁は１０及び１２とされている。
【００２６】
このように形成されたシート材１６を上記折曲線ｓからｖ及びｗ、ｘに従って山折となるように折り曲げ、接着面１７の外面に接着剤を塗布し、折曲線ｓを側壁１２の側辺ｙに合わせて接着面１７と側壁１２の端部１２ａとを接合して首掛けラベル５Ａが形成される。
【００２７】
上記の構成において、瓶型容器１の首部２を収納する筒状体６の内孔６Hは、図２に示すように側壁９から１２に囲まれて形成されている。
【００２８】
この首掛けラベル５Ａを使用するにあたっては、図４に示すように、瓶型容器１が店頭に置かれる際に需要者に対向させる面（矢印Ｋ方向）に、首掛けラベルの側壁９から１２のうち正面を向かせたい側壁の向きを合わせる。そして、首掛けラベル５Ａの下方から瓶型容器１の首部２を挿通し、筒状体６を瓶型容器１の首部２に被せる。
【００２９】
この際、図４に示すように、係止片７、８の延伸寸法Ｌは、首掛けラベル５Ａを首部２に被せた際に側壁９から１２の下辺ｗ、ｘ、ｍ、ｎが該首部２と当接する位置から段部１８までの距離Ｌ１よりも僅かに長く形成されているため、係止片７、８の先端７ｃ、８ｃがキャップ４の外周に当接する。そこで、係止片７、８を下方に押し込んで、その先端７ｃ、８ｃをキャップ４と首部２上端で形成される段部１８に係止させる。このように係止片７、８の先端７ｃ、８ｃを瓶型容器１の首部２に押さえつけた状態で係止させることで、首掛けラベル５Ａの筒状体６の上縁及び下縁が、瓶型容器１の段部１８と首部２の下端部とに付勢した状態で支持され、首掛けラベル５Ａが瓶型容器１の首部２に堅固に装着固定される。
【００３０】
このようにして首掛けラベル５Ａが装着された瓶型容器１を、図５に示すように、主壁部１０、１２が同一方向を向くようにして運搬、保管に用いられる梱包体２０に梱包すると、瓶型容器１の首部２に装着された首掛けラベル５Ａの切欠部１４を有する側壁９、１１が互いに近接した状態で隣接し、隣り合う首掛けラベル５Ａの切欠部１４、１４も略隣り合って位置することになる。
【００３１】
上記のようにして形成された首掛けラベル５Ａによると、切欠部１４、１４を指先が通過可能となるため、瓶型容器１への装着時に、瓶型容器１のキャップ４又は首部２上端部を把持しやすくなるという効果が得られる。
【００３２】
また、首掛けラベル５Ａが装着された瓶型容器１を梱包した梱包体２０から取り出す場合にも、隣り合う首掛けラベル５Ａの切欠部１４、１４が隣接しているため、容易に瓶型容器１の首部２を掴めて、該瓶型容器１を取り出しやすくなるという効果が得られる。またこれによって、首掛けラベル５Ａの変形、損傷を極力回避することができることとなり、首掛けラベルによって、確実に情報提供を行うことができるという効果が得られる。
【００３３】
また、切欠部１４の中央に上下方向の切込み１５が形成されているため、切欠部１４の下方の壁部に指先が当たってもシート材の可撓性により該切込み１５が拡開して指先を通過させ、指先の通過後に弾性復帰して元の形状に戻るため、切欠部１４の下方の壁部を変形、損傷させることを回避することができる。
【００３４】
また、係止片７、８の延伸寸法Ｌが、筒状体６の下辺ｗ、ｘ、ｍ、ｎから段部１８の位置までの長さ寸法Ｌ１よりも僅かに長く、この係止片７、８を押し込んで先端７ｃ、８ｃを係止させているため、図４に示すように係止片７、８が首部２の下端部と段部１８において付勢しつつ支持され、首掛けラベル５Ａが首部２の周において回転するのを防止することができるという効果が得られる。
また、係止片７、８の形状が側壁１０、１３と同一の幅寸法で矩形に形成されているため、また更に、構造がシンプルであり、安価に製造することができるという効果が得られる。
【００３５】
また更に、首掛けラベル５Ａの側壁９、１１の上縁に切欠部１４、１４を有していることから、上方から首掛けラベル５Ａの指先の挿通位置が一見して分かりやすく、かつ、瓶型容器１及び首掛けラベルの正面となる主壁面１０、１２又は側壁９、１１の向きが分かりやすくなるため、首掛けラベル５Ａが装着された瓶型容器１を所望の側壁を向けて店頭で陳列する作業が効率的に行われるという効果が得られる。
【００３６】
また更に、首掛けラベル５Ａが四角柱に形成されていることから、広告等の表示面を４方向に向けて取ることができ、かつ表示面を最大化することができるという効果が得られる。また、表示面が平坦な面となるため、需要者に読みやすくなるという効果が得られる。
【００３７】
図６は、本発明の第２の実施形態を示す図である。
図６において、図２と同一の構成には同一符号を付し、その説明を省略する。
この実施形態による首掛けラベル５Ｂにおいては、切欠部１４が全ての側壁９から１２において設けられている。また、さらに四角柱をなす筒状体の角部上端において、小切欠部２１、２１・・が形成されている。
【００３８】
このように、切欠部１４が全ての側壁９から１２に形成されていることにより、首掛けラベル５Ｂの前後左右のいずれの方向からも指先が通過可能となり、作業性を一層向上させることができる。また、小切欠部２１、２１・・が形成されていることにより、角部３１から３４の上部に指先が当たることを防止することができるという効果を得ることができる。
また、この首掛けラベル５Ｂにおいても、上述した第１実施形態として示した首掛けラベル５Ａと同様の作用効果を得ることができる。
【００３９】
図７は、本発明の第３の実施形態を示す図である。
この図に示す首掛けラベル５Ｃが上述した首掛けラベル５Ａ、５Ｂと異なる点は、切欠部１４を側壁９から１２の中央部に形成せず、筒状体６の角部３１から３４の上端に形成すると共に、その下端部から角部３１から３４に沿ってスリット３０、３０・・が形成されている点である。
【００４０】
このように、切欠部１４を首掛けラベル５Ｃの広告表示部となる側壁９から１２の中央部にではなく、側壁９から１２のデッドスペースとなる筒状体の角部３１から３４の上端に形成させることにより、広告表示のためのスペースを最大に確保することができるという効果を奏する。
【００４１】
また、切欠部１４、１４・・の下方に上下方向に延在するスリット３０、３０・・が形成されているため、切欠部１４の下方の壁部に指先を引っ掛けてしまった場合にも、その周辺の壁部が指先の動く方向に弾性変形して指先の通過を許し、指先の筒状体６内方への通過後に弾性復帰して元の位置に戻るため、首掛けラベル５Ｃの変形、破壊を回避することができるという効果が得られる。
その他、この首掛けラベル５Ｃにおいても、上述した第１実施形態として示した首掛けラベル５Ａ、Ｂと同様の作用効果を得ることができる。
【００４２】
図８は、本発明の第４の実施形態を示す図である。この図において、係止片７、８は省略されている。
この図に示す首掛けラベル５Ｄが上述した第１実施形態の首掛けラベル５Ａ等と異なる点は、切欠部１４が側壁９から１２の幅方向中間部において設けられた２つの隣り合う切り込み３５、３６の間の壁部Ｑを内方に折り曲げて形成されている点である。
【００４３】
本実施形態の首掛けラベル５Ｄによると、第１及び第２実施形態に示した作用効果と同様の作用効果が得られると共に、切欠部１４、１４が、側壁部１０、１２に切り込み３５、３６を形成してその間に位置する壁部Ｑを内方に折り曲げるだけで形成されるので、首掛けラベル５Ｄの作成が容易となるという効果が得られる。
【００４４】
なお、上述の第１から第４実施形態においては、筒状体６が四角柱に形成されているが、筒状体６の形状としては、断面形状が円形、長方形、その他の多角形の側壁９から１２に対向する位置に切欠部１４、１４が形成されるものであってもよい。
また、切欠部の形状は、上述した目的を達成しうるものであれば、Ｖ字型、矩形形状等とされていてもよい。
【符号の説明】
【００４５】
１    瓶型容器（容器）
２    首部
５    首掛けラベル
６    筒状体
７    係止片
８    係止片
９    側壁
１０  側壁
１１  側壁
１２  側壁
１４  切欠部
１５  切込み
２０  梱包体
３５  切込み
３６  切込み
Ｑ    壁部
【図１】
2011020726.tif 000003
【図２】
2011020726.tif 000004
【図３】
2011020726.tif 000005
【図４】
2011020726.tif 000006
【図５】
2011020726.tif 000007
【図６】
2011020726.tif 000008
【図７】
2011020726.tif 000009
【図８】
2011020726.tif 000010
【図９】
2011020726.tif 000011
【図１０】
2011020726.tif 000012